(57)【特許請求の範囲】
【請求項１】
デジタル信号システムの転送性能を最適化し、信号接続での誤差信号分析ユニットとステップサイズ調整ユニットを含み、
上記誤差信号分析ユニットは誤差信号を分析してトランスミッタパラメーターを調整する操作を判断し、
上記ステップサイズ調整ユニットは、上記誤差信号分析ユニットからの分析結果に従ってトランスミッタパラメーターの調整方向及び調整ステップサイズを計算し確定し、
システム転送性能を示す情報を誤差信号として取得して、取得された誤差信号を上記誤差分析ユニットへ転送する誤差信号取得ユニットをさらに含み、
上記誤差信号取得ユニットはフォワードエラー修正ユニットであって、修正情報を誤差信号として出力して、転送ミスコードへの検出と修正を完成する
ことを特徴とする、送信装置のための、トランスミッタパラメーターを最適に調整する装置。
【請求項２】
上記ステップサイズ調整ユニットから転送された調整方向及び調整ステップサイズによって、トランスミッタパラメーターに対して自動或いは手動で調整するトランスミッタパラメーター調整ユニットをさらに含むことを特徴とする請求項１に記載の装置。
【請求項３】
送信装置のための、トランスミッタパラメーターを最適に調整する方法において、
Ａ、誤差信号分析ユニットは誤差信号を分析してトランスミッタパラメーターを調整する操作を判断し、ここにおいて、上記誤差信号は誤差信号取得ユニットから送信され、上記誤差信号取得ユニットはフォワードエラー修正ユニットであって、修正情報を誤差信号として出力して、転送ミスコードへの検出と修正を完成し、
Ｂ、ステップサイズ調整ユニットはトランスミッタパラメーターの調整方向及び調整ステップサイズを計算し確定し、
Ｃ、トランスミッタパラメーター調整ユニットは上記判断の結果によって、トランスミッタパラメーターに対して上記方向とステップサイズを調整する操作を実現する
ことを特徴とするトランスミッタパラメーターを最適に調整する方法。
【請求項４】
ステップＡにおいて、上記誤差信号分析ユニットの操作は具体的に、
Ａ１、トランスミッタパラメーターの初期値を初期化設定することを、信号ロストまたはフレームロストが上記初期値下で生じなくなるまで繰り返し、
Ａ２、システム転送性能を示す情報を誤差信号として取得する
ことを含むことを特徴とする請求項３に記載の方法。
【請求項５】
ステップＢにおいて、上記ステップサイズ調整ユニットの操作は具体的に、
誤差信号を分析して、トランスミッタパラメーターを調整の必要な方向を取得し、
誤差信号を分析して、トランスミッタパラメーターの調整ステップサイズを計算し、あるいは、記憶された予定の調整ステップサイズを使用する
ことを含むことを特徴とする請求項４に記載の方法。
【請求項６】
上記ステップＢは具体的に、
Ｂ１、フォワードエラー修正ユニットから出力された修正情報がマイクロプロセッサ部によって、送信装置のアイダイアグラム交差点調整ユニットを制御し、
Ｂ２、上記ステップサイズ調整ユニットとしてのマイクロプロセッサ部分は、上記修正情報を分析し計算するとともに、アイダイアグラム交差点調整情報をアイダイアグラム交差点調整ユニットへ出力する
ことを含むことを特徴とする請求項５に記載の方法。
【請求項７】
上記ステップＢ２は具体的に、
Ｂ２１、初期値での初期誤差信号と単一の上記ステップサイズ値を累算した後のシングルステップ誤差信号とを比較し、
Ｂ２２、初期誤差信号が上記シングルステップ誤差信号より大きければ、単一の上記ステップサイズを累加し、さもなければ、単一の上記ステップサイズを累減する
を含むことを特徴とする請求項６に記載の方法。
【請求項８】
上記ステップＣの後において、
Ｄ１、前のトランスミッタパラメーターを調整するプロセスの後に、調整後の誤差信号を新たに取得し、
Ｄ２、ステップＢに戻って、次のトランスミッタパラメーターを調整するプロセスに進み、
Ｄ３、上記誤差信号の誤差信号が設定値を超えなければ、調整操作を終了する
ことを含むことを特徴とする請求項７に記載の方法。
【発明の詳細な説明】
【技術分野】
【０００１】
本発明はデジタル通信システム信号転送の技術分野に関し、特に、トランスミッタパラメーターを最適に調整する装置及び方法に関する。
【背景技術】
【０００２】
通常、デジタル通信システムにおいて、トランスミッタのパラメーターは当該システムの性能に影響する重要な要素のひとつであって、トランスミッタのパラメーターはトランスミッタアイダイアグラム交差点、駆動振幅（幅度）、ＥＡ変調レーザーのＶｏｎ電圧レベル等のパラメーターを含む。
【０００３】
トランスミッタアイダイアグラム交差点のパラメーターを例に挙げると、適当にトランスミッタアイダイアグラムの交差点を低く調整すれば、信号の平均パワーを引き下げることができる。しかし、同じ平均パワーで、アイダイアグラム交差点が低い「１」コードの信号パワーはアイダイアグラム交差点が高い「１」コードの信号パワーより大きい、つまり、アイダイアグラム交差点が低い「１」コード信号のノイズ耐性能力はより強くなって、信号対雑音比（Ｓｉｇｎａｌ  ｔｏ  Ｎｏｉｓｅ  Ｒａｔｉｏ、略してＳＮＲと呼ばれる。）許容限度と受信感度も相対的に優れる。しかし、アイダイアグラム交差点が低すぎると、「１」コードが狭くなる事態を引き起こし、「１」コード判定の冗長空間を小さくさせて、「１」コードの判定ミスを招き、ビット誤り率を上昇させてしまう可能性がある。
【０００４】
または、たとえば、駆動振幅パラメーターについて、通常は、駆動振幅が大きければ大きいほど、消光比が大きくなって、「１」と「０」のパワー比が大きくなり、転送する時のノイズ耐性の能力も強くなって、転送性能がよくなる。しかし、駆動振幅が大きすぎると、駆動器の出力信号の歪みと劣化を引き起こして、システム転送性能を劣化させてしまう。
【０００５】
同様に、ＥＡ変調レーザーのＶｏｎ電圧レベル及びその他の各種類の調整可能なパラメーターに対して、一つの最適な動作点があって、システムの転送性能を最適化することができる。よって、デジタル通信システムにおいて、トランスミッタのパラメーターに対して合理的に最適化する必要がある。
【発明の概要】
【発明が解決しようとする課題】
【０００６】
しかし、従来のシステムにおいては、トランスミッタパラメーターを最適化するのではなく、トランスミッタパラメーターを一つの固定の経験値に調整している。これでは、通常、設定されたトランスミッタパラメーターが最適値であることを保証できない。
【０００７】
関連技術におけるトランスミッタパラメーターを最適化する問題に対して、今はまだ有効な対策は提出されていない。
【課題を解決するための手段】
【０００８】
本発明は、関連技術においてトランスミッタパラメーターに対して最適化を行うことが提供されない問題に鑑み、トランスミッタパラメーターを最適に調整する装置及び方法を提供して、上記問題の少なくともひとつを解決する。
【０００９】
上記目的を実現するために、本発明の一つの方面によれば、トランスミッタパラメーターを最適に調整する装置を提供する。
【００１０】
本発明のトランスミッタパラメーターを最適に調整する装置は、デジタル信号システムの転送性能を最適化するのに用いられ、信号接続での誤差信号分析ユニットとステップサイズ調整ユニットを含み、誤差信号分析ユニットが、誤差信号を分析してトランスミッタパラメーターを調整する操作を判断し、ステップサイズ調整ユニットが、誤差信号分析ユニットの分析結果よりトランスミッタパラメーターの調整方向及び調整ステップサイズを計算し確定する。
【００１１】
最適には、上記装置は、システム転送性能を示す情報を誤差信号として取得して、取得された誤差信号を誤差分析ユニットへ転送する誤差信号取得ユニットをさらに含む。
【００１２】
最適には、誤差信号取得ユニットはフォワードエラー修正ユニットであって、修正情報を誤差信号として出力して、転送ミスコードへの検出と修正を完成する。
【００１３】
最適には、上記装置は、ステップサイズ調整ユニットから転送された調整方向及び調整ステップサイズによって、トランスミッタパラメーターに対して自動または手動で調整するトランスミッタパラメーター調整ユニットをさらに含む。
【００１４】
本発明の他の一つの方面によれば、トランスミッタパラメーターを最適に調整する方法を提供する。
【００１５】
本発明のトランスミッタパラメーターを最適に調整する方法は以下のステップを含む。
【００１６】
Ａ、誤差信号分析ユニットは誤差信号を分析してトランスミッタパラメーターを調整する操作を判断する。
【００１７】
Ｂ、ステップサイズ調整ユニットはトランスミッタパラメーターの調整方向及び調整ステップサイズを計算し確定する。
【００１８】
Ｃ、トランスミッタパラメーター調整ユニット判断の結果によって、トランスミッタパラメーターに対して方向調整とステップサイズ調整の操作を実現する。
【００１９】
最適には、ステップＡにおいて、誤差信号分析ユニットの操作は具体的に下記の内容を含む。
【００２０】
Ａ１、トランスミッタパラメーターの初期値を初期化設定することを繰り返す。
【００２１】
Ａ２、信号ロストまたはフレームロストが初期値を下回るまで繰り返す。
【００２２】
Ａ３は、システム転送性能を示す情報を誤差信号として取得する。
【００２３】
最適には、ステップＢにおいて、ステップサイズ調整ユニットの操作は具体的に下記の内容を含む。
【００２４】
誤差信号を分析して、トランスミッタパラメーターの調整の必要な方向を取得する。
【００２５】
誤差信号を分析して、トランスミッタパラメーターの調整ステップサイズを計算し、あるいは、記憶された予定の調整ステップサイズを使用する。
【００２６】
最適には、ステップＢは具体的に下記の内容を含む。
【００２７】
Ｂ１、フォワードエラー修正ユニットから出力された修正情報はマイクロプロセッサ部分を介して、送信装置のアイダイアグラム交差点調整ユニットを制御する。
【００２８】
Ｂ２、ステップサイズ調整ユニットとしてのマイクロプロセッサ部分は、修正情報を分析し計算するとともに、アイダイアグラム交差点調整情報をアイダイアグラム交差点調整ユニットへ出力する。
【００２９】
最適には、ステップＢ２は具体的に下記の内容を含む。
【００３０】
Ｂ２１、初期値での初期誤差信号と単一のステップサイズ値を累算した後のシングルステップ誤差信号とを比較する。
【００３１】
Ｂ２２、初期誤差信号がシングルステップ誤差信号より大きければ、単一のステップサイズを累加し、さもなければ単一のステップサイズを累減する。
【００３２】
最適には、ステップＣの後に下記の内容を含む。
【００３３】
Ｄ１、前のトランスミッタパラメーターを調整するプロセスの後に、調整された後の誤差信号を新たに取得する。
【００３４】
Ｄ２、ステップＢに戻って、次のトランスミッタパラメーターを調整するプロセスに進む。
【００３５】
Ｄ３、誤差信号の誤差信号が設定値を超えなければ調整操作を終了する。
【発明の効果】
【００３６】
本発明によれば、誤差フィードバック体制を導入したとともに、交互に調整とフィードバックの操作を行って、トランスミッタパラメーターを最適化することが提供されない問題を解決し、トランスミッタのパラメーターを最適化する上に、手動で最適化または自動で最適化でき、デジタル通信システム転送性能の最適化を保証し、トランスミッタパラメーター設定の精度を高めてシステム信号対雑音比ＳＮＲ及び受信感度等の性能指標を改善した。
【００３７】
上記状況について、トランスミッタのパラメーターに対して最適化を行う上で、手動で最適化し或いは自動で最適化して、デジタル通信システム転送性能の最適化を保証できる。
【図面の簡単な説明】
【００３８】
【図１】本発明の実施例によるトランスミッタパラメーターを最適に調整する装置の構造を示すブロック図である。
【図２】本発明の実施例によるトランスミッタパラメーターを最適に調整する装置の構造を示す図である。
【図３】本発明の実施例によるトランスミッタパラメーターを最適に調整する方法のフローチャートである。
【発明を実施するための形態】
【００３９】
機能概述
従来の技術における問題を考慮して、本発明の実施例がトランスミッタパラメーターを最適に調整する案を提供した。当該案の処理方法は、誤差フィードバック体制を導入し、交互に行う操作を調整、フィードバックして、デジタル通信システムの転送性能を最適に調整する。当該案によって、トランスミッタのパラメーターを最適化する上で、手動で最適化し、或いは、自動で最適化することができて、デジタル通信システム転送性能の最適化を保証した。
【００４０】
以下、図面を伴って、本発明のトランスミッタパラメーターを最適に調整する装置及び方法の具体的な実施の形態と実施例を詳細に説明する。
【００４１】
図１は本発明の実施例によるトランスミッタパラメーターを最適に調整する装置の構造を示すブロック図である。図１に示すように、本発明の実施例による自動でトランスミッタパラメーターを最適に調整する装置は下記のいくつかのユニットを含む。
【００４２】
誤差信号取得ユニット１１０は、システム転送性能を示す情報を誤差信号として取得し、取得された誤差信号を誤差分析ユニット１２０へ転送する。
【００４３】
誤差信号分析ユニット１２０は、誤差信号取得ユニット１１０から取得した情報を分析し、トランスミッタパラメーターを調整する必要があるかどうかを判断し、調整の必要がある場合、調整の必要な方向を分析し判断し、関連情報をステップサイズ調整ユニット１３０へ転送する。
【００４４】
ステップサイズ調整ユニット１３０は、送信装置トランスミッタパラメーターの予定の調整ステップサイズを記憶し、或いは上記誤差信号分析ユニット１２０の分析結果より、トランスミッタパラメーターの調整ステップサイズを計算し、誤差信号分析ユニット１２０により特定された調整方向情報を用い、トランスミッタパラメーター調整ユニット１４０へ転送する。
【００４５】
トランスミッタパラメーター調整ユニット１４０は、ステップサイズ調整ユニット１３０から転送された調整方向及び調整ステップサイズによって、送信装置のトランスミッタパラメーターに対して自動或いは手動で調整を行う。
【００４６】
図３は本発明の実施例によるトランスミッタパラメーターを最適化する調整方法のフローチャートである。図３に示すように、本発明の実施例によるトランスミッタパラメーターを自動で最適に調整する方法は以下のステップを含む。
【００４７】
ステップＳ３００は、トランスミッタパラメーターの初期値を初期化設定する。当該初期値は設定された経験値であってよい。
【００４８】
ステップＳ３０２は、当該初期値に信号ロストがあるかどうか（略してＬＯＳと呼ばれる。）またはフレームロストがあるかどうか（略してＬＯＦと呼ばれる。）を判断して、ＬＯＳまたはＬＯＦがある時に、第１のステップに戻って、ＬＯＳまたはＬＯＦが無くなるまで新たに初期値を設定する。
【００４９】
ステップＳ３０４は、システム転送性能を示す情報を誤差信号として取得する。
【００５０】
ステップＳ３０６は、システム転送性能を示す情報に対して誤差信号の分析を行う。
【００５１】
ステップＳ３０８は、トランスミッタパラメーターを調整する必要があるかどうかを判断する。調整する必要がなければ、最適化プロセスを終了させ、調整する必要があれば、誤差信号の分析結果よりトランスミッタパラメーターに対してステップＳ３１０の処理を行う。
【００５２】
ステップＳ３１０は、誤差信号の分析より、トランスミッタパラメーターに対する調整の必要な方向を得る。
【００５３】
ステップＳ３１２は、誤差信号の分析より、トランスミッタパラメーターの調整ステップサイズを計算する。或いは、記憶された予定の調整ステップサイズを使用してもよい。
【００５４】
ステップＳ３１４は、ステップＳ３１０とステップＳ３１２の分析結果より、トランスミッタパラメーターを調整する。
【００５５】
トランスミッタパラメーターを調整した後で、ステップＳ３０４に戻って、調整した後の誤差信号を新たに取得し、次のトランスミッタパラメーターを調整するプロセスに進み、誤差信号のビット誤り率が設定値を超えなければ、或いは調整の必要が無くなれば、調整操作を終了する。
【００５６】
以下、具体的な実施例により、さらに本発明のデジタル通信システムにおいて自動でトランスミッタパラメーターを最適に調整する装置及び方法を説明し、ここで、またトランスミッタのアイダイアグラム交差点パラメーターを例として自動で最適化するプロセスを説明する。図２に示すように、本実施例の装置は、送信装置２１０、受信装置２２０及びマイクロプロセッサ２３０の３つの部分を含む。
【００５７】
マイクロプロセッサ２３０部分は、フォワードエラー修正ユニット２２４の修正情報を調べて、分析し計算して、送信装置２１０部分のアイダイアグラム交差点を制御し調整する。受信装置２２０部分は光電検出器２２１、トランスインピーダンスアンプ２２２、自動利得制御機能を備えるリニアチャネル、データ回復ユニット２２３及びフォワードエラー修正ユニット２２４を含む。送信装置２１０部分はデジタル／アナログ変換ユニット２１２とアイダイアグラム交差点調整ユニット２１１を含み、送信装置２１０部分のアイダイアグラム交差点の調整を実現し、図１に示すようなトランスミッタパラメーター調整ユニット１４０に相当する。下記内容は上記各ユニットの役目である。
【００５８】
アイダイアグラム交差点調整ユニット２１１は、マイクロプロセッサ２３０部分からの調整信号を受信して、デジタル／アナログ変換した後に送信装置２１０部分のアイダイアグラム交差点を制御し調整する。
【００５９】
光電検出器２２１は、光信号と電気信号の転換を完成し、通常はフォトダイオードまたはアバランシェフォトダイオードである。
【００６０】
トランスインピーダンスアンプ２２２は、光電検出器２２１から出力された微弱電気信号をリニア増幅し、伝統的なトランスインピーダンスアンプとシングルエンド入力信号を差分入力信号へ転換する電圧アンプを含む。
【００６１】
リニアチャネルとデータ回復ユニット２２３は、自動利得制御付の振幅制限アンプ、フィルタ、データと時計回復、デマルチプレクサ等の機能モジュールを含む。
【００６２】
フォワードエラー修正ユニット２２４は、フォワードエラー修正機能を完成して、修正情報をマイクロプロセッサ２３０部分へ提出する。
【００６３】
最適に調整する目的を達するために、送信装置２１０部分から出力された光信号が転送されて受信装置２２０部分に入って、入力された光信号が光電検出器２２１を介して微弱電気信号に転換されて、そして、トランスインピーダンスアンプ２２２により前置き増幅され、リニアチャネルとデータ回復ユニット２２３により増幅され、フィルタ及びデータ回復がなされ、最後にフォワードエラー修正ユニット２２４に入って、転送ミスコードの検出と修正がなされる。
【００６４】
同時に、フォワードエラー修正ユニット２２４から出力された修正情報がマイクロプロセッサ２３０部分を通じて、送信装置２１０部分のアイダイアグラム交差点調整ユニット２１１を制御する。本実施例において、フォワードエラー修正ユニット２２４から出力された修正情報をアイダイアグラム交差点を最適に調整する誤差情報とし、よって、フォワードエラー修正ユニット２２４は図１に示すような誤差信号取得ユニット１１０に相当する。
【００６５】
マイクロプロセッサ２３０部分は、フォワードエラー修正ユニット２２４から出力された修正情報を分析し計算して、アイダイアグラム交差点調整情報を送信装置２１０部分のアイダイアグラム交差点調整ユニット２１１へ出力し、図１に示す誤差信号分析ユニット１２０とステップサイズ調整ユニット１３０に相当する。
【００６６】
フォワードエラー修正システムにおいて、修正情報における「１」を修正する数と「０」を修正する数の和Ｅが最小になるときに、システム誤差信号は最小になり、転送性能も最適であって、よって、この和Ｅをアイダイアグラム交差点の調整を判断するひとつの根拠として利用してもよい。
【００６７】
最小の固定ステップサイズ値ｈを取って、初期アイダイアグラム交差点値をＸ=ａに初期化設定して、フォワードエラー修正システムから提出されたＸ=ａとＸ=ａ+ｈ時の修正情報の和Ｅを比較して、つまり、初期値での初期誤差信号と単一のステップサイズ値を累算した後のシングルステップ誤差信号を比較して、初期誤差信号が上記シングルステップ誤差信号より大きければ、即ち、ＥＸ=ａ>ＥＸ=ａ+ｈ、単一のステップサイズを累加して（Ｘ=ａ+ｈ）、さもなければ単一のステップサイズを累減する（Ｘ=ａ-ｈ）。
【００６８】
そして、新しいＸ位置で再び判断して、当該アイダイアグラム交差点の位置における和Ｅが最小或いは零である時に停止して、この時に、最適に調整するプロセスが完成したと考える。
【００６９】
上記ＬＯＳまたはＬＯＦ等の誤差状況は当業者によく知られているので、ここでは重ねて記述しない。
【００７０】
以上、具体的な実施の形態においてトランスミッタの他のパラメーターを最適化する方法は実際の応用に応じて従来の各種類の案を採用することができ、当業者に対してよく知られ、ここでは重ねて記述しない。
【００７１】
本発明の実施例によれば、コンピュータの読み込に可能な媒体をさらに提供して、コンピュータ読み込に可能な媒体にコンピュータで実行できるコマンドを記憶させて、このコマンドがコンピュータ或いはプロセッサに実行される時、コンピュータ或いはプロセッサが図３に示すような各ステップの処理を実行して、最適には、一つまたは複数の上記実施例を実行する。
【００７２】
本発明の具体的な実施例はトランスミッタパラメーターを最適に調整する装置及び方法を提供して、誤差フィードバック体制を導入して、交互に調整しフィードバックし、トランスミッタのパラメーターを最適化する上で、手動で最適化し或いは自動で最適化することができて、デジタル通信システム転送性能の最適化を保証し、トランスミッタパラメーター設定される精度を向上させ、システム信号対雑音比ＳＮＲ及び受信感度等の性能指数を改善した。
【００７３】
なお、当業者に対して、上記案の説明より改進しまたは交換することができ、たとえば、調整待ちのトランスミッタパラメーターを変化させ、このすべての改進と交換は本発明の特許申請の保護範囲に属すべきである。
【図１】
0005254448.tif 000002
【図２】
0005254448.tif 000003
【図３】
0005254448.tif 000004